(57)【要約】【課題】より効率的に高周波漏洩電流及び高周波出力電流を点検可能な電気メス装置を提供すること。【解決手段】高周波電流を生成する電源部４と、生成した高周波電流を電極に供給するとともに供給した高周波電流を回収するための電極用ソケット部と、高周波電流の供給を受けることで電気メス装置における高周波漏洩電流又は高周波出力電流を測定及び点検する点検部１０と、高周波電流を電極用ソケット部又は点検部のいずれか一方に供給するための入力切替器１６と、装置全体の作動を制御するための制御部２を具備し、点検部は、供給された高周波電流に負荷を加えるための負荷抵抗切替器１１と、負荷抵抗切替器１１によって負荷が加えられた高周波電流の電流値を検出するための電流検出器１２を具備し、電流検出器による検出値に基づき電気メス装置における漏洩電流又は出力電流を算出する。【選択図】図２
0003193007.tif 000002
【実用新案登録請求の範囲】
【請求項１】
高周波電流を生成して電気手術用の電極に供給するための電気メス装置であって、
選択された処理に対応した高周波電流を生成するための電源部（４）と、
該電源部（４）で生成した高周波電流を前記電極に供給するとともに、供給した高周波電流を回収するための電極用ソケット部と、
前記電源部（４）で生成した高周波電流の供給を受けることで、電気メス装置における高周波漏洩電流又は高周波出力電流を測定及び点検するための点検部（１０）と、
前記電源部（４）で生成した高周波電流を、前記電極用ソケット部（９）又は点検部（１０）のいずれか一方に供給するための入力切替器（１６）と、
前記点検部（１０）における点検のモードを切り替えるためのモード切替器（２９）と、
装置全体の作動を制御するための制御部（２）と、を具備し、
前記点検部（１０）は、
供給された高周波電流に負荷を加えるための負荷抵抗切替器（１１）と、
該負荷抵抗切替器（１１）によって負荷が加えられた高周波電流の電流値を検出するための電流検出器（１２）と、を具備し、
前記電源部（４）で生成した高周波電流を前記負荷抵抗切替器（１１）に供給するとともに供給した高周波電流を負極に流すことで、前記電流検出器（１２）による検出値に基づき、電気メス装置における高周波漏洩電流を算出し、
前記電源部（４）で生成した高周波電流を前記負荷抵抗切替器（１１）に供給するとともに供給した高周波電流を回収することで、前記電流検出器（１２）による検出値に基づき、電気メス装置における高周波出力電流を算出し、
前記算出した高周波出力電流が予め設定してある許容値から外れている場合に、前記電源部（４）で生成する高周波電流の電流値を校正する、ことを特徴とする電気メス装置。
【請求項２】
前記電源部（４）は、基本高周波を発生する高周波発生器（５）と、
該高周波発生器（５）で発生された基本高周波の周波数及び振幅を設定された処理に対応した値に変調する変調器（６）と、
該変調器で所定の周波数及び振幅に変調された高周波を増幅するための増幅器（７）と、
該増幅器（７）で増幅された高周波を所定の電圧及び電流に変換するための変圧器（８）と、を具備したことを特徴とする請求項１に記載の電気メス装置。
【請求項３】
前記電極用ソケット部は、少なくとも、モノポーラ型電極としてのアクティブ電極を接続するためのアクティブ電極用ソケット部（９ａ）と、供給した高周波電流を回収するための対極板を接続するための対極板用ソケット部（９ｂ）であることを特徴とする請求項１又は請求項２に記載の電気メス装置。
【請求項４】
前記電極用ソケット部は、少なくとも、バイポーラ型電極の一方を接続するためのバイポーラ電極（一方）用ソケット部（９ｃ）と、供給した高周波電流を回収するためのバイポーラ型電極の他方を接続するためのバイポーラ電極（他方）用ソケット部（９ｄ）であることを特徴とする請求項１又は請求項２に記載の電気メス装置。
【考案の詳細な説明】
【技術分野】
【０００１】
本考案は、電気手術用の電極に高周波を供給するための電気メス装置に係り、より詳しくは、高周波漏洩電流及び高周波出力電流を測定するための点検機能を備えた電気メス装置に関する。
【背景技術】
【０００２】
周知のように、外科系手術の際には、高周波電流の出力を利用することで、患部における組織や膜等の切開、切除あるいは凝固を行う電気手術装置が広く用いられている。
【０００３】
即ち、この電気手術装置は、電気メス装置と電極とを有しており、電気メス装置において高周波電流を生成し、この電気メス装置で生成された高周波電流の供給を受けた電極によって、患部における組織や膜等の切開、切除あるいは凝固を行うこととしている。
【０００４】
そして、この電気手術装置では、手術等における安全を確保するために、定期的な点検、保守が義務化されており、点検としては例えば、電気メス装置における高周波漏洩電流及び高周波出力電流の測定、点検が必要とされている。
【０００５】
しかし、電気メス装置の点検は、切開、切除、凝固等の処理の種類及び各処理における出力レベルに応じて行わなければならないところ、近年の電気手術の増加及びそれに伴う電気手術装置の増加に従い、点検に要する手間、費用等が増大しているため、効率的な点検が困難な状況になっている。
【０００６】
そのため過去においては、電気メス装置の高周波漏洩電流及び高周波出力電流を自動測定可能な電気メス点検装置が提案されている。
【先行技術文献】
【特許文献】
【０００７】
【特許文献１】特開２０１２−１０７５２号公報
【考案の概要】
【考案が解決しようとする課題】
【０００８】
しかし前述の電気メス点検装置では、ケーブル等によって電気メス装置に接続し、電気メス装置で生成した高周波電流を電気メス点検装置に供給し、それによって、電気メス点検装置において、電気メス装置における高周波漏洩電流及び高周波出力電流の点検を行うこととしていたために、点検に先立ち、ケーブルによって電気メス装置と電気メス点検装置を接続する作業が必要であり、効率的な作業に支障が生じており、また、使用しないときの保管場所等が必要であった。
【０００９】
そこで、本考案は、より効率的に高周波漏洩電流及び高周波出力電流を点検可能な電気メス装置を提供することを課題としている。
【課題を解決するための手段】
【００１０】
本考案の電気メス装置は、高周波電流を生成して電気手術用の電極に供給するための電気メス装置であって、
選択された処理種類に対応した高周波電流を生成するための電源部と、
該電源部で生成した高周波電流を前記電極に供給するとともに供給した高周波電流を回収するための電極用ソケット部と、
前記電源部で生成した高周波電流の供給を受けることで、電気メス装置における高周波漏洩電流又は高周波出力電流を測定及び点検するための点検部と、
前記電源部で生成した高周波電流を、前記電極用ソケット部又は点検部のいずれか一方に供給するための入力切替器と、
前記点検部における点検のモードを切り替えるためのモード切替器と、
装置全体の作動を制御するための制御部と、を具備し、
前記点検部は、
供給された高周波電流に負荷を加えるための負荷抵抗切替器と、
該負荷抵抗切替器によって負荷が加えられた高周波電流の電流値を検出するための電流検出器と、を具備し、
前記電源部で生成した高周波電流を前記負荷抵抗切替器に供給するとともに供給した高周波電流を負極に流すことで、前記電流検出器による検出値に基づき、電気メス装置における高周波漏洩電流を算出し、
前記電源部で生成した高周波電流を前記負荷抵抗切替器に供給するとともに供給した高周波電流を入力切替器で回収することで、前記電流検出器による検出値に基づき、電気メス装置における高周波出力電流を算出し、
前記算出した高周波出力電流が予め設定してある許容値から外れている場合に、前記電源部で生成する高周波電流の電流値を校正する、ことを特徴としている。
【考案の効果】
【００１１】
本考案の電気メス装置では、高周波電流を生成して電気手術用の電極に供給するための電気メス装置において、電気メス装置における高周波漏洩電流又は高周波出力電流を測定及び点検するための点検部を具備している。
【００１２】
そのために、本考案によれば、電気メス装置における高周波漏洩電流又は高周波出力電流の点検に際して、電気メス点検装置との接続等の面倒な作業を行う必要がなく、より効率的に、高周波漏洩電流及び高周波出力電流を点検することが可能である。
【００１３】
また、本考案の電気メス装置では、点検部による測定値に基いて算出した高周波出力電流が予め設定してある許容値から外れている場合には、電源部で生成する高周波電流の電流値を校正することとしているため、電源部の出力校正を効率よく行うことが可能である。
【図面の簡単な説明】
【００１４】
【図１】本考案の電気メス装置の実施例の正面図である。
【図２】本考案の電気メス装置の実施例の構成を示すブロック図である。
【図３】本考案の電気メス装置の実施例における入力切替方法を説明するためのブロック図である。
【図４】本考案の電気メス装置の実施例における入力切替の他の方法を説明するためのブロック図である。
【図５】本考案の電気メス装置の実施例において高周波電流を出力する場合の入力切替を説明するためのブロック図である。
【図６】本考案の電気メス装置の実施例において高周波電流を出力する場合の入力切替を説明するためのブロック図である。
【図７】本考案の電気メス装置の実施例において出力電流を点検する場合の入力切替を説明するためのブロック図である。
【図８】本考案の電気メス装置の実施例において出力電流を点検する場合の入力切替を説明するためのブロック図である。
【図９】本考案の電気メス装置の実施例においてアクティブ電極側の漏洩電流を点検する場合の入力切替を説明するためのブロック図である。
【図１０】本考案の電気メス装置の実施例においてバイポーラ電極の一方側の漏洩電流を点検する場合の入力切替を説明するためのブロック図である。
【図１１】本考案の電気メス装置の実施例において対極板側の漏洩電流を点検する場合の入力切替を説明するためのブロック図である。
【図１２】本考案の電気メス装置の実施例においてバイポーラ電極の他方側の漏洩電流を点検する場合の入力切替を説明するためのブロック図である。
【図１３】本考案の電気メス装置の実施例において高周波電流を出力する場合の作用を説明するためのフローチャートである。
【図１４】本考案の電気メス装置の実施例において出力電流を点検する場合の作用を説明するためのフローチャートである。
【図１５】本考案の電気メス装置の実施例において漏洩電流を点検する場合の作用を説明するためのフローチャートである。
【考案を実施するための形態】
【００１５】
本考案の電気メス装置では、モードスイッチによって選択された処理に対応した高周波電流を生成するための電源部と、この電源部で生成した高周波電流を電気手術用の電極に供給するとともに供給した高周波電流を回収するための電極用ソケット部を有している。
【００１６】
また、本考案の電気メス装置では、電源部で生成した高周波電流の供給を受けることで、電気メス装置における高周波漏洩電流又は高周波出力電流を測定及び点検するための点検部を有している。
【００１７】
そして、点検部は、供給された高周波電流に負荷を加えるための負荷抵抗切替器と、この負荷抵抗切替器によって負荷が加えられた高周波電流の電流値を検出するための電流検出器を具備している。
【００１８】
また、本考案の電気メス装置は、電源部で生成した高周波電流を電極用ソケット部又は点検部のいずれか一方に供給するとともに供給した高周波電流を回収するための入力切替器を有している。
【００１９】
更に、本考案の電気メス装置は、電源部で生成した高周波電流を点検部に供給して高周波漏洩電流の点検又は高周波出力電流の点検を行う場合に、点検のモードを切り替えるためのモード切替器を有している。
【００２０】
また、本考案の電気メス装置は、装置全体の作動を制御するための制御部を具備している。そして、電源部で生成した高周波電流を負荷抵抗切替器に供給するとともに、供給した高周波電流を負極に流すことによって、電流検出器による検出値に基づいて、制御部において、電気メス装置における高周波漏洩電流を算出することとしている。
【００２１】
更に、電源部で生成した高周波電流を負荷抵抗切替器に供給するとともに、供給した高周波電流を入力切替器で回収することで、電流検出器による検出値に基づいて、制御部において、電気メス装置における高周波出力電流を算出することとしている。
【００２２】
更にまた、算出した高周波出力電流が予め設定してある許容値から外れている場合には、電源部で生成する高周波電流の電流値を校正、することとしている。
【００２３】
ここで、電源部は、基本高周波を発生する高周波発生器と、高周波発生器で発生された基本高周波の周波数及び振幅を設定された処理種類に対応した値に変調する変調器と、この変調器で所定の周波数及び振幅に変調された高周波を増幅するための増幅器と、増幅器で増幅された高周波を所定の電圧及び電流に変換するための変圧器で構成するとよい。
【００２４】
また、前記電極用ソケット部は、少なくとも、モノポーラ型電極としてのアクティブ電極を接続するためのアクティブ電極用ソケット部と、アクティブ電極により患部に供給した高周波電流を回収するための対極板を接続するための対極板用ソケット部とするか、あるいは、少なくとも、バイポーラ型電極の一方を接続するためのバイポーラ電極（一方）用ソケット部と、バイポーラ型電極の一方により患部に供給した高周波電流を回収するためのバイポーラ電極の他方を接続するためのバイポーラ電極（他方）用ソケット部にすると良い。
【実施例１】
【００２５】
本考案の電気メス装置の実施例について図面を参照して説明すると、図１は本実施例の電気メス装置の正面を示す図であり、図において１が本実施例の電気メス装置である。
【００２６】
そして、本実施例の電気メス装置１は、モノポーラ電極とバイポーラ電極の双方を使用可能としており、モノポーラ型電極として患部に高周波電流を供給するためのアクティブ電極のコネクタ２３を接続するためのアクティブ電極用ソケット部９ａと、アクティブ電極で患部に供給した高周波電流を回収するための対極板のコネクタ２５を接続するための対極板用ソケット部９ｂを有しており、更に、バイポーラ電極の一方のコネクタ２７を接続するためのバイポーラ電極（一方）用ソケット部９ｃと、バイポーラ電極の他方のコネクタ２９を接続するためのバイポーラ電極（他方）用ソケット部９ｄを有している。即ち、本実施例の電気メス装置１は、電気メス装置の内部で高周波電流を生成し、この高周波電流をアクティブ電極又はバイポーラ電極の一方に供給することで、患部における組織や膜等の切開、切除あるいは凝固を行い、対極板又はバイポーラ電極の他方によって、患部に流れた高周波電流を回収することとしている。
【００２７】
ここで、本実施例の電気メス装置１の構成を説明すると、図２は本実施例の電気メス装置の構成を説明するためのブロック図であり、図において本実施例の電気メス装置１は、制御部としてのマイコン２を有しており、この制御部２は、演算部としてのＣＰＵ２ａ、メモリ２ｂ、及びＩ／Ｏポート２ｃを備えており、バスライン２ｄによって各構成部品が制御部２に接続され、これにより、演算部２で装置全体の作動を制御することとしている。
【００２８】
そして、前記メモリ２ｂには、モノポーラ電極、バイポーラ電極等の接続される電極の種類、切開、凝固等の処理の種類、選択された処理に対応した高周波電流を生成するための、電圧、周波数等の情報が格納されており、演算部２ａは、選択された処理の種類等に応じて、メモリ２ｂに格納された各種の情報を参照して装置全体の作動を制御することとしている。
【００２９】
次に、図において４は電源部である。即ち本実施例の電気メス装置１では、高周波電流を生成するための電源部４を有しており、この電源部４は、基本波を生成するための高周波発生器５を備えており、この高周波発生器５は、電源回路３を介して商用電源等の電源２１に接続されている。そして、電源回路３は、高周波電流を生成するための主電源を前記電源部４に供給するとともに、制御部２等を駆動するための制御電源を生成して各構成部分に供給する機能を有する。
【００３０】
また、前記高周波発生器５には変調器６が接続されており、前記高周波発生器５で生成された高周波は、前記変調器６において、選択された処理に対応した周波数及び振幅に変調される。
【００３１】
即ち、本実施例の電気メス装置１では、モードスイッチ１８を有しており、このモードスイッチ１８の操作によって、高周波電流の出力、又は高周波電流の点検のいずれかを選択することとしており、更に、切開モード、凝固モード等を選択可能としており、更にまた、高周波電流の点検の場合には高周波出力電流の点検、アクティブ電極側高周波漏洩電流の点検、対極板側高周波漏洩電流の点検等を選択可能としており、前記変調器６では、高周波発生器５で生成された高周波に対して、選択された処理に対応した変調を行うこととしている。
【００３２】
また、前記変調器６には増幅器７が接続されており、前記変調器６で変調された高周波電流は、増幅器７において所定の増幅率で増幅された後に、昇圧用変圧器８の一次側コイル８ａに加えられ、所定の電圧及び電流に変換されて二次側コイル８ｂから出力される。なお、図２において太い矢印線で示した部分が主電源の流れである。
【００３３】
次に、図において９ａ、９ｂ、９ｃ、９ｄは、電気手術で使用する電極を接続するための電極用ソケット部である。即ち、前述したように本実施例の電気メス装置１では、モノポーラ型電極としてのアクティブ電極２２のコネクタ２３を接続するためのアクティブ電極用ソケット部９ａと、アクティブ電極２２で患部に供給した高周波電流を回収するための対極板２４のコネクタ２５を接続するための対極板用ソケット部９ｂと、バイポーラ電極の一方２６のコネクタ２７を接続するためのバイポーラ電極（一方）用ソケット部９ｃと、バイポーラ電極の他方２８のコネクタ２９を接続するためのバイポーラ電極（他方）用ソケット部９ｄを有している。そして、これらのソケット部９ａ、９ｂ、９ｃ、９ｄは、入力切替器を介して前記電源部４における昇圧用変圧器８の二次側コイル８ｂに接続されている。
【００３４】
次に、図において１０は、電気メス装置における高周波漏洩電流又は高周波出力電流を測定及び点検するための点検部である。即ち本実施例の電気メス装置１では、高周波漏洩電流及び高周波出力電流を点検するための点検部１０を有して、電気メス点検装置に接続することなく、高周波漏洩電流又は高周波出力電流の点検を可能としており、これにより、より効率的に、高周波漏洩電流及び高周波出力電流の点検を可能としている。
【００３５】
即ち、本実施例の電気メス装置１では、入力切替器１６を有しており、前記電源部４で生成された高周波電流は、入力切替器１６による切り替えによって、アクティブ電極用ソケット部９ａ若しくはバイポーラ電極（一方）用ソケット部９ｃ、又は点検部１０へ供給され、対極板用ソケット部９ｂ若しくはバイポーラ電極（他方）用ソケット部９ｄ、又は点検部１０から回収される。
【００３６】
ここで、前記点検部１０について説明すると、本実施例において前記点検部１０は、負荷抵抗切替器１１を有しており、この負荷抵抗切替器１１には電流検出器１２が接続されている。そして電流検出器１２は、負荷抵抗切替器１１を介して電流検出器１２に流れてきた高周波電流の電流値を電圧波形として出力することとしている。
【００３７】
また、前記電流検出器１２には、ＲＭＳ−ＤＣコンバータ１３とピークホールド回路１４が接続されており、ＲＭＣ−ＤＣコンバータ１３において電流検出器１２の出力波形が実効値化されるとともに、ピークホールド回路１４においてピーク電圧が測定される。
【００３８】
そして、ＲＭＳ−ＤＣコンバータ１３とピークホールド回路１４の出力はＡ／Ｄコンバータ１５に伝送され、Ａ／Ｄコンバータ１５の出力信号に基づいて、前記演算部２ａにおいて、高周波漏洩電流又は高周波出力電流が算出される。
【００３９】
また、演算部２ａは、算出した高周波漏洩電流又は高周波出力電流をディスプレー２０に表示するとともに、算出した電流値が予め記憶されている許容範囲の範囲外である場合には、ディスプレー２０に表示する電流値の表示色等を他と異なるものとして、点検者に警告を行う。
【００４０】
更に、演算部２ａは、算出した電流値が予め記憶されている許容範囲の範囲外である場合には、電流値を許容範囲内にするための校正値を算出してメモリ２ｂに格納し、電源部４において高周波電流を生成する際に、メモリ２ｂに格納した校正値を参照して、前記電源部４を構成する前記変調器６、増幅器７等の作動を制御し、前記電源部４が生成する高周波電流を許容範囲内に補正することとしている。
【００４１】
次に、前記入力切替器１６について説明すると、図３は入力切り替えの方法を説明するためのブロック図であり、図において１６が前記入力切替器である。そして、本実施例における入力切替器１６は、アクティブ電極側スイッチＳ１、対極板側スイッチＳ２、バイポーラ電極（一方）側スイッチＳ３、バイポーラ電極（他方）側スイッチＳ４の４個のスイッチを有している。そして、アクティブ電極側スイッチＳ１及びバイポーラ電極（一方）側スイッチＳ３は前記昇圧用変圧器８の二次側コイル８ａの一端側に接続され、対極板側スイッチＳ２及びバイポーラ電極（他方）側スイッチＳ４は、前記昇圧用変圧器８の二次側コイル８ａの他端側に接続されており、これらのスイッチの切り替えによって、高周波電流の供給先を切り替えることとしている。
【００４２】
即ち、本実施例において前記入力切替器１６には、アクティブ電極用ソケット部９ａが接続されたアクティブ電極側出力用接点３１と、アクティブ電極用ソケット部９ａに出力される高周波電流の点検を行うために用いられるアクティブ電極側点検用接点３２が備えられており、前記アクティブ電極側スイッチＳ１の切り替えによって、アクティブ電極側出力用接点３１、又はアクティブ電極側点検用接点３２のいずれかが電源部４に接続される。
【００４３】
また、対極板用ソケット部９ｂが接続された対極板側回収用接点３３と、対極板２４から回収される高周波電流の点検を行うために用いられる対極板側点検用接点３４が備えられており、前記対極板側スイッチＳ２の切り替えによって、対極板側回収用接点３３、又は対極板側点検用接点３４のいずれかが電源部４に接続される。
【００４４】
更に、一方側のバイポーラ電極用ソケット部９ｃが接続されたバイポーラ電極（一方）側出力用接点３５と、一方側のバイポーラ電極用ソケット部９ｃに出力される高周波電流の点検を行うために用いられるバイポーラ電極（一方）側点検用接点３６が備えられており、前記バイポーラ電極（一方）側スイッチＳ３の切り替えによって、バイポーラ電極（一方）側出力用接点３５、又はバイポーラ電極（一方）側点検用接点３６のいずれかが電源部４に接続される。
【００４５】
更にまた、他方側のバイポーラ電極用ソケット部９ｃが接続されたバイポーラ電極（他方）側回収用接点３７、他方側のバイポーラ電極２８から回収される高周波電流の点検を行うために用いられるバイポーラ電極（他方）側点検用接点３８が備えられており、前記バイポーラ電極（他方）側スイッチＳ４の切り替えによって、バイポーラ電極（他方）側回収用接点３７、又はバイポーラ電極（他方）側点検用接点３８のいずれかが電源部４に接続される。
【００４６】
そして、アクティブ電極２２と対極版２４を用いて電気手術を行う際には、アクティブ電極側スイッチＳ１とアクティブ電極側出力用接点３１、及び対極板側スイッチＳ２と対極板側回収用接点３３を接続する。
【００４７】
また、バイポーラ電極を用いて電気手術を行う際には、バイポーラ電極（一方）側スイッチＳ３とバイポーラ電極（一方）側出力用接点３５、及びバイポーラ電極（他方）側スイッチＳ４とバイポーラ電極（他方）側回収用接点３７を接続する。
【００４８】
一方、アクティブ電極に出力される高周波出力電流の点検を行う場合には、アクティブ電極側スイッチＳ１とアクティブ電極側点検用接点３２、及び対極板側スイッチＳ２と対極板側点検用接点３４を接続する。
【００４９】
また、バイポーラ電極に出力される高周波出力電流の点検を行う場合には、バイポーラ電極（一方）側スイッチＳ３とバイポーラ電極（一方）側点検用接点３６、及びバイポーラ電極（他方）側スイッチＳ４とバイポーラ電極（他方）側点検用接点３８を接続する。
【００５０】
また、アクティブ電極側の漏洩電流の点検を行う場合にはアクティブ電極側スイッチＳ１とアクティブ電極側点検用接点３２を接続し、対極板側の漏洩電流の点検を行う場合には対極板側スイッチＳ２と対極板側回収用接点３４を接続し、一方側のバイポーラ電極の漏洩電流の点検を行う場合にはバイポーラ電極（一方）側スイッチＳ３とバイポーラ電極（一方）側点検用接点３６を接続し、他方側のバイポーラ電極の漏洩電流の点検を行う場合にはバイポーラ電極（他方）側スイッチＳ４とバイポーラ電極（他方）側点検用接点３８を接続する。
【００５１】
なお、前記スイッチの構成は特に限定されず、バネ、リレー等を用いた機械式スイッチにしてもよく、あるいはトランジスタ等を用いた電気式スイッチを用いても良い。またスイッチの切り替えは、手動でもよく、あるいは制御部による自動制御でも良い。
【００５２】
次に、図２において２９はモード切替器である。即ち本実施例の電気メス装置１では、モード切替器２９による切り替えによって、高周波出力電流の点検、又は高周波漏洩電流の点検のいずれかを切り替えることとしている。
【００５３】
ここで、前記モード切替器２９について説明すると、図３において２９がモード切替器、１１が前記負荷抵抗切替器、１２が電流検出器である。そして、本実施例において点検部１０は、電源部４から供給される高周波を負荷抵抗切替器１１及び電流検出器１２に供給した後に回収するための出力電流点検ライン４１と、電源部４から供給される高周波を負荷抵抗切替器１１及び電流検出器１２に供給した後に負極に流すための漏洩電流点検ライン４２を有しており、前記モード切替器２９には、前記出力電流点検ライン４１の入力側接点４３及び出力側接点４４と、漏洩電流点検ライン４２の入力側接点４５が備えられている。
【００５４】
また、前記モード切替器２９には、アクティブ電極側点検用接点Ｓ１及びバイポーラ電極（一方）側点検用接点Ｓ３が接続された点検用入力スイッチＳ５、対極板側点検用接点Ｓ２及びバイポーラ電極（他方）側点検用接点Ｓ４が接続された点検用出力スイッチＳ６が備えられており、点検用入力スイッチＳ５は、前記出力電流点検ライン４１の入力側接点４３又は漏洩電流点検ライン４２の入力側接点４５のいずれかと接続し、点検用出力スイッチＳ６は、前記出力電流点検ライン４３の出力側接点４４と接続することとしている。そしてこれらの点検用入力スイッチＳ５、点検用出力スイッチＳ６の切り替えにより、電源部４から供給された高周波電流を電源部４に戻して高周波出力電流の点検を行うか、あるいは、電源部４から供給された高周波電流を負極に流して高周波漏洩電流の点検を行うかを選択可能としている。
【００５５】
なお、図４に示すように、電源部４から供給される高周波を負荷抵抗切替器１１及び電流検出器１２に供給する部分を出力電流点検ライン４１と漏洩電流点検頼４２で共用し、電流検出器１２の出力側で点検用切替スイッチＳ７によって、電流検出器１２の出力を、出力電流点検ライン４１の出力側接点４４に回収するか負極に流すかを切り替えても良い。
【００５６】
次に、このように構成される本実施例の電気メス装置の作用について説明すると、本実施例の電気メス装置を用いる場合にはまず、電源スイッチ１７をオンにして、電源回路３を介して点検部４に電源を供給可能な状態にする。そしてその後に、モードスイッチ１８を操作して処理を選択する。処理の種類としては、使用する電極によってモノポーラ電極の使用又はバイポーラ電極の使用が選択され、また、高周波電流の出力による電気手術又は高周波電流の点検が選択され、更に、高周波電流の点検を選択した場合には、アクティブ電極側又はバイポーラ電極（一方）側の漏洩電流の点検、対極板側又はバイポーラ電極（他方）側の漏洩電流の点検、アクティブ電極側の出力電流の点検、バイポーラ電極側の出力電流の点検が選択される。
【００５７】
そうすると、制御部２は、メモリ２ｂに格納された情報から、選択された処理に必要な情報を参照して、その情報に基づいて、電源部４、点検部１０、入力切替器１６の各部分等に所定の指令を行い、それにより初期設定が完了する。
【００５８】
（１）高周波電流による電気手術
本実施例の電気メス装置１によって、モノポーラ電極としてのアクティブ電極２２を使用して電気手術を行う場合について図１３を参照すると、アクティブ電極を使用して電気手術を行う場合は、図５に示すように、アクティブ電極側スイッチＳ１とアクティブ電極側出力用接点３１、及び、対極板側スイッチＳ２と対極板側回収用接点３３を接続し、高周波電流出力回路を形成し（Ｓ１）、電源部４で生成した高周波電流をアクティブ電極２２に供給するとともに供給した高周波電流を対極板２４によって回収可能とする。
【００５９】
そしてこの状態でスタートスイッチ１９がオンされると、電源回路３を介して電源部４に電源が供給され、電源部４において高周波電流が生成され（Ｓ２）、この高周波電流は、アクティブ電極側スイッチＳ１を介してアクティブ電極に供給され（Ｓ３）、患部を介して、対極板２４から対極板側スイッチＳ２に回収されて二次側コイル８ｂに戻され（Ｓ４）、この高周波電流の供給と回収はスイッチがオフになるまで繰り返される。
【００６０】
なお、スタートスイッチ１９は、フットスイッチや、電極に具備したスイッチ等、いずれでも良い。また、演算部２ａは、メモリ２ｂに校正値が格納されている場合には、この校正値を参照して前記電源部４の作動を制御し、前記電源部４が生成する高周波電流を許容範囲内に補正する。
【００６１】
また、バイポーラ電極２６、２８による電気手術を行う場合には、図６に示すように、バイポーラ（一方）側スイッチＳ３とバイポーラ（一方）側出力用接点３５、及び、バイポーラ（他方）側スイッチＳ４とバイポーラ（他方）側回収用接点３７を接続して、アクティブ電極を使用した電気手術の場合と同様に、高周波電流出力回路を形成し（Ｓ１）。そして、電源部４で生成した高周波電流を一方側のバイポーラ電極２６に供給するとともに供給した高周波電流を他方側のバイポーラ電極２８を介して回収可能とし、その後は、アクティブ電極による手術の場合と同様に、図１３に示す前記Ｓ２〜Ｓ４の処理を繰り返す。
【００６２】
（２）高周波電流の点検
（２−１）アクティブ電極側の出力電流の点検
本実施例の電気メス装置１によってアクティブ電極側の出力電流の点検を行う場合について図１４を参照すると、アクティブ電極側の出力電流の点検を行う場合には、図７に示すように、アクティブ電極側スイッチＳ１とアクティブ電極側点検用接点３２、対極板側スイッチＳ２と対極板側点検用接点３４、点検用入力スイッチＳ５と出力電流点検ラインの入力側接点４３、点検用出力スイッチＳ６と出力電流点検ラインの出力側接点４４を接続して、出力電流点検回路を形成し（Ｓ１１）、電源部４で生成されてアクティブ電極側に供給される高周波電流を、負荷抵抗切替器１１を介して電流検出器１２に供給するとともに、電源部１０に回収可能とする。
【００６３】
そして、この状態でスタートスイッチ１９がオンされると、電源部４において高周波電流が生成され（Ｓ１２）、この高周波電流は、負荷抵抗切替器１１に供給された後に（Ｓ１３）、電流検出器１２を介して電源部４に回収される（Ｓ１４）。
【００６４】
また、電流検出器１２は、負荷抵抗切替器１１を介して入力された出力電流を検出して電圧波形として出力し、ＲＭＣ−ＤＣコンバータ１３は電流検出器１２の出力波形を実効値化して出力し、ピークホールド回路１４はピーク電圧を測定して出力し、ＲＭＳ−ＤＣコンバータ１３とピークホールド回路１４の出力はＡ／Ｄコンバータ１５を介して演算部２ａに伝送される。そして、演算部２ａは、Ａ／Ｄコンバータ１５の出力信号に基づいて高周波出力電流を算出するとともに（Ｓ１５）、算出した高周波出力電流をディスプレー２１に表示し（Ｓ１６）、更に、算出した電流値が予め記憶されている許容範囲の範囲外である場合には、ディスプレー２０に表示する電流値の表示色等を他と異なるものとして、点検者に警告を行い（Ｓ１７）、この一連の作動はスイッチがオフになるか、あるいは予め設定した時間又は回数だけ繰り返される。
【００６５】
更に、演算部２ａは、算出した電流値が予め記憶されている許容範囲の範囲外である場合には、電流値を許容範囲内にするための校正値を算出してメモリ２ｂに格納し（Ｓ１８）、高周波電流を生成する際に、メモリ２ｂに格納した校正値を参照して、前記電源部４を構成する高周波発生器５、変調器６、増幅器７等の作動を制御し、前記電源部４が生成する高周波電流を許容範囲内に補正する。
【００６６】
（２−２）バイポーラ電極側の出力電流の点検
本実施例の電気メス装置１によってバイポーラ電極側の出力電流の点検を行う場合は、図８に示すように、バイポーラ（一方）側スイッチＳ３とバイポーラ（一方）側点検用接点３６、バイポーラ（他方）側スイッチＳ４とバイポーラ（他方）側点検用接点３８、点検用入力スイッチＳ５と出力電流点検ライン４１の入力側接点４３、点検用出力スイッチＳ６と出力電流点検ライン４１の出力側接点４４を接続して、アクティブ電極側の出力電流の点検の場合と同様に、出力電流点検回路を形成する（Ｓ１１）。そしてそれにより、電源部４で生成されてバイポーラ電極側に供給される高周波電流を、負荷抵抗切替器１１を介して電流検出器１２に供給するとともに、電源部に回収可能とし、その後は、アクティブ電極側の出力電流の点検の場合と同様に、図１４に示す前記Ｓ１２〜Ｓ１８の処理を繰り返す。
【００６７】
（２−３）アクティブ電極側の漏洩電流の点検
本実施例の電気メス装置１によってアクティブ電極側の漏洩電流の点検を行う場合について図１５を参照すると、アクティブ電極側の漏洩電流の点検を行う場合には、図９に示すように、アクティブ電極側スイッチＳ１とアクティブ電極側点検用接点３２、点検用入力スイッチＳ５と漏洩電流点検ラインの入力側接点４５を接続し、アクティブ電極側の漏洩電流点検用回路を形成し（Ｓ２１）、電源部４で生成されてアクティブ電極側に供給される高周波電流を、負荷抵抗切替器１１を介して電流検出器１２に供給した後に負極に流すことを可能にする。
【００６８】
そしてこの状態でスタートスイッチ１９がオンされると、高周波電流の電極側への出力の場合と同様に電源部４において高周波電流が生成され（Ｓ２２）、この高周波電流は、負荷抵抗切替器１１に供給された後に（Ｓ２３）、電流検出器１２を介して負極に流れる（Ｓ２４）。
【００６９】
一方、電流検出器１２は、負荷抵抗切替器１１を介して入力された漏洩電流を検出して電圧波形として出力する。そうすると、ＲＭＣ−ＤＣコンバータ１３において電流検出器１２の出力波形が実効値化されるとともに、ピークホールド回路１４においてピーク電圧が測定される。そして、ＲＭＳ−ＤＣコンバータ１３とピークホールド回路１４の出力がＡ／Ｄコンバータ１５を介して演算部２ａに伝送され、Ａ／Ｄコンバータ１５の出力信号に基づいて、前記演算部２ａにおいて、高周波漏洩電流が算出される（Ｓ２５）。
【００７０】
また、演算部２ａは、算出した高周波漏洩電流をディスプレー２１に表示するとともに（Ｓ２６）、算出した電流値が予め記憶されている許容範囲の範囲外である場合には、ディスプレー２０に表示する電流値の表示色等を他と異なるものとして、点検者に警告を行い（Ｓ２７）、この一連の作動は、スイッチがオフになるか、あるいは予め設定した時間又は回数だけ繰り返される。
【００７１】
（２−４）バイポーラ電極（一方）側の漏洩電流の点検
本実施例の電気メス装置１によって一方側のバイポーラ電極の漏洩電流の点検を行う場合は、図１０に示すように、バイポーラ電極（一方）側スイッチＳ３とバイポーラ電極（一方）側点検用接点３６、点検用入力スイッチＳ５と漏洩電流点検ライン４２の入力側接点４５を接続し、アクティブ電極側の漏洩電流の点検の場合と同様に、バイポーラ電極（一方）側の漏洩電流点検回路を形成し（Ｓ２１）、電源部４で生成されて一方のバイポーラ電極側に供給される高周波電流を、負荷抵抗切替器１１を介して電流検出器１２に供給した後に負極に流すことを可能にする。そしてその後は、アクティブ電極側の漏洩電流の点検の場合と同様に、図１５に示す前記Ｓ２２〜Ｓ２７の処理を繰り返す。
【００７２】
（２−５）対極板側の漏洩電流の点検
本実施例の電気メス装置１によって対極板側の漏洩電流の点検を行う場合について図１５を参照すると、対極板側の漏洩電流の点検を行う場合には、図１１に示すように、対極板側スイッチＳ２と対極板側点検用接点３４、点検用入力スイッチＳ５と漏洩電流点検ライン４２の入力側接点４５を接続し、対極板側の漏洩電流点検用回路を形成し（Ｓ２１）、電源部４で生成されて対極板側に供給される高周波電流を、負荷抵抗切替器１１を介して電流検出器１２に供給した後に負極に流すことを可能にする。
【００７３】
そして、この状態でスタートスイッチ１９がオンされると、電源部４において高周波電流が生成され（Ｓ２２）、この高周波電流は、負荷抵抗切替器１１に供給された後に（Ｓ２３）、電流検出器１２を介して負極に流れる（Ｓ２４）。
【００７４】
また、電流検出器１２は、負荷抵抗切替器１１を介して入力された漏洩電流を検出して電圧波形として出力し、ＲＭＣ−ＤＣコンバータ１３は電流検出器１２の出力波形を実効値化して出力し、ピークホールド回路１４はピーク電圧を測定して出力し、ＲＭＳ−ＤＣコンバータ１３とピークホールド回路１４の出力はＡ／Ｄコンバータ１５を介して演算部２ａに伝送される。そして、演算部２ａは、Ａ／Ｄコンバータ１５の出力信号に基づいて高周波漏洩電流を算出するとともに（Ｓ２５）、算出した高周波漏洩電流をディスプレー２１に表示し（Ｓ２６）、更に、算出した電流値が予め記憶されている許容範囲の範囲外である場合には、ディスプレー２０に表示する電流値の表示色等を他と異なるものとして、点検者に警告を行い（Ｓ２７）、この一連の作動は、スイッチがオフになるか、あるいは予め設定した時間又は回数だけ繰り返される。
【００７５】
（２−６）バイポーラ電極（他方）側の漏洩電流の点検
本実施例の電気メス装置１によって他方側のバイポーラ電極の漏洩電流の点検を行う場合は、図１２に示すように、バイポーラ電極（他方）側スイッチＳ４とバイポーラ電極（他方）側点検用接点３８、点検用入力スイッチＳ５と漏洩電流点検ライン４２の入力側接点４５を接続し、対極板側の漏洩電流の点検の場合と同様に、バイポーラ電極（他方）側の漏洩電流点検用回路を形成し、電源部４で生成されて他方のバイポーラ電極側に供給される高周波電流を、負荷抵抗切替器１１を介して電流検出器１２に供給した後に負極に流すことを可能にする。そしてその後は、対極板側の漏洩電流の点検の場合と同様に、図１５に示す前記Ｓ２２〜Ｓ２７の処理を繰り返す。
【００７６】
このように、本実施例の電気メス装置１では、高周波漏洩電流又は高周波出力電流を測定及び点検するための点検部を備えており、電気メス点検装置を用いることなく、電源部で生成した高周波電流を点検部に供給することで、電気メス装置における高周波漏洩電流又は高周波出力電流の点検を行うことを可能としているので、高周波漏洩電流又は高周波出力電流の点検に際して電気メス装置と電気メス点検装置を接続する等の面倒な作業が不要であるとともに、電気メス点検装置の保管場所等も不要となり、より効率的に、高周波漏洩電流及び高周波出力電流を点検することが可能である。
【００７７】
また、本実施例の電気メス装置では、点検部１０による測定値に基いて算出した高周波出力電流が予め設定してある許容値から外れている場合には、電源部４で生成する高周波電流の電流値を校正することとしているため、電源部４の出力校正を効率よく行うことが可能である。
【産業上の利用可能性】
【００７８】
本考案は、高周波電流により電気手術を行う電気手術装置における漏洩電流及び出力電流の点検を効率的に行うことを可能としているため、高周波電流により電気手術を行う電気手術装置の全般に適用可能である。
【符号の説明】
【００７９】
１    電気メス装置
２    制御部（マイコン）
２ａ  演算部（ＣＰＵ）
２ｂ  メモリ
２ｃ  Ｉ／Ｏポート
２ｄ  バスライン
３    電源回路
４    電源回路
５    高周波発生器
６    変調器
７    増幅器
８    昇圧用変圧器
８ａ  一次側コイル
８ｂ  二次側コイル
９    電極用ソケット部
９ａ  アクティブ電極用ソケット部
９ｂ  対極板用ソケット部
９ｃ  バイポーラ電極（一方）用ソケット部
９ｄ  バイポーラ電極（他方）用ソケット部
１０    点検部
１１    負荷抵抗切替器
１２    電流検出器
１３    ＲＭＳ−ＤＣコンバータ
１４    ピークホールド回路
１５    Ａ／Ｄコンバータ
１６    入力切替器
１７    電源スイッチ
１８    モードスイッチ
１９    スタートスイッチ
２０    ディスプレー
２１    電源
２２    アクティブ電極
２３    アクティブ電極用コネクタ
２４    対極板
２５    対極板用コネクタ
２６    バイポーラ電極の一方
２７    バイポーラ電極の他方
２８    バイポーラ電極用コネクタ
２９    モード切替器
３１    アクティブ電極側出力用接点
３２    アクティブ電極側点検用接点
３３    対極板側回収用接点
３４    対極板側点検用接点
３５    バイポーラ電極（一方）側出力用接点
３６    バイポーラ電極（一方）側点検用接点
３７    バイポーラ電極（他方）側回収用接点
３８    バイポーラ電極（他方）側点検用接点
４１    出力電流点検ライン
４２    漏洩電流点検ライン
４３    出力電流点検ラインの入力側接点
４４    出力電流点検ラインの出力側接点
４５    漏洩電流点検ラインの入力側接点
Ｓ１    アクティブ電極側スイッチ
Ｓ２    対極板側スイッチ
Ｓ３    バイポーラ電極（一方）側スイッチ
Ｓ４    バイポーラ電極（他方）側スイッチ
Ｓ５    点検用入力スイッチ
Ｓ６    点検用出力スイッチ
Ｓ７    点検用切替スイッチ
【図１】
0003193007.tif 000003
【図２】
0003193007.tif 000004
【図３】
0003193007.tif 000005
【図４】
0003193007.tif 000006
【図５】
0003193007.tif 000007
【図６】
0003193007.tif 000008
【図７】
0003193007.tif 000009
【図８】
0003193007.tif 000010
【図９】
0003193007.tif 000011
【図１０】
0003193007.tif 000012
【図１１】
0003193007.tif 000013
【図１２】
0003193007.tif 000014
【図１３】
0003193007.tif 000015
【図１４】
0003193007.tif 000016
【図１５】
0003193007.tif 000017